(57)【要約】      （修正有）【課題】より簡単でスピーディーに設置でき、耐震性の高い電気温水器用コンクリート基礎を提供する。【解決手段】電気温水器用コンクリート基礎は、電気温水器のタンクユニットを載せるための２つのベースブロックと、２つのベースブロックを載せて所定の間隔で平行な状態で連結するための２本のレールと、上部がレールに固定され、土中に埋められる２つの杭コンクリート柱からなり、ベースブロックの上面にはレールが埋め込まれ、レール内を移動可能な取付けボルトによってタンクユニットがベースブロックに固定され、ベースブロックは２本のレール内を移動可能な取付けボルトによってレールに固定され、２本のレールは平行に配置されて、杭アンカーによってそれぞれが杭コンクリート柱に固定される。【選択図】図１
0003133011.tif 000002
【実用新案登録請求の範囲】
【請求項１】
電気温水器のタンクユニットを載せるための２つのベースブロックと、上記２つのベースブロックを載せて所定の間隔で平行な状態で連結するための２本のレールと、上部が上記レールに固定され、土中に埋められる２つの杭コンクリート柱からなり、
上記ベースブロックの上面にはレールが埋め込まれ、上記レール内を移動可能な取付けボルトによって上記タンクユニットが上記ベースブロックに固定され、
上記ベースブロックは上記２本のレール内を移動可能な取付けボルトによって上記レールに固定され、
上記２本のレールは平行に配置されて、杭アンカーによってそれぞれが上記杭コンクリート柱に固定されることを特徴とする電気温水器用コンクリート基礎。
【請求項２】
上記２本のレールおよび上記ベースブロックに埋め込まれたレールの断面形状が、略Ｕ字形状であり、Ｕ字の上部が両方ともフック状に内側に折り曲げられており、タンクユニットの上記取付けボルトおよびベースブロックの上記取付けボルトは、上記レール内を移動可能に横から挿入されるプレートが取付けられていることを特徴とする請求項１に記載の電気温水器用コンクリート基礎。
【請求項３】
上記杭コンクリート柱は、断面が６角形で、裾広がりの形状となっており、そしてつば部を有することを特徴とする請求項１又は２に記載の電気温水器用コンクリート基礎。
【考案の詳細な説明】
【技術分野】
【０００１】
本考案は、電気温水器のタンクユニットを屋外に設置する際に用いる電気温水器用コンクリート基礎に関する。
【背景技術】
【０００２】
電気温水器にはタンクユニット等、設備の一部を屋外に設置するのが一般的である。このように、屋外に電気温水器のタンクユニット等を設置する際には、タンクユニット等の重量に耐えうる基礎が必要となる。
【０００３】
タンクユニット等を設置する場所として、コンクリート等の十分な強度があり水平な場所が確保できれば、その上に直接載せてアンカー等での固定する場合もある。
【０００４】
しかし、屋外の地面に設置する場合には、基礎が必要となる。このような場合には、コンクリートを打設して基礎を作る方法や、コンクリートブロックを並べて基礎とする方法などがある。
【考案の開示】
【考案が解決しようとする課題】
【０００５】
このように、基礎を作る場合に重要なのが、基礎の表面を水平に仕上げることである。これは、タンクユニットを水平に設置する必要があるので、基礎表面をできるだけ水平に仕上げなければならない。
【０００６】
しかし、現地でコンクリートを打設する方法だと、水平に仕上げる手間が掛かるという問題があった。さらに、コンクリートが完全に硬化するまでタンクユニットを設置できないという問題点があった。
【０００７】
そして、地震対策のために、コンクリート基礎の厚みを十分に厚くして重量を稼ぐ必要があり、さらに転倒防止用に、タンクユニットを固定するアンカーを埋め込む手間が掛かる。
【０００８】
また、単にコンクリートブロックを並べて基礎とする場合には、地震時に転倒する恐れがあり、耐震性に問題があった。
【０００９】
本考案では、従来の施工手間を省略し、かつ地震時の転倒に対しても転倒防止効果を有する電気温水器用コンクリート基礎を提供することを目的としている。
【課題を解決するための手段】
【００１０】
本考案の電気温水器用コンクリート基礎は、電気温水器のタンクユニットを載せるための２つのベースブロックと、上記２つのベースブロックを載せて所定の間隔で平行な状態で連結するための２本のレールと、上部が上記レールに固定され、土中に埋められる２つの杭コンクリート柱からなり、上記ベースブロックの上面にはレールが埋め込まれ、上記レール内を移動可能な取付けボルトによって上記タンクユニットが上記ベースブロックに固定され、上記ベースブロックは上記２本のレール内を移動可能な取付けボルトによって上記レールに固定され、上記２本のレールは平行に配置されて、杭アンカーによってそれぞれが上記杭コンクリート柱に固定されることを特徴とする。
【００１１】
そして、上記２本のレールおよび上記ベースブロックに埋め込まれたレールの断面形状が、略Ｕ字形状であり、Ｕ字の上部が両方ともフック状に内側に折り曲げられており、タンクユニットの上記取付けボルトおよびベースブロックの上記取付けボルトは、上記レール内を移動可能に横から挿入されるプレートが取付けられていることが好ましい。
【００１２】
また、上記杭コンクリート柱は、断面が６角形で、裾広がりの形状となっており、そしてつば部を有することが好ましい。
【考案の効果】
【００１３】
本考案の電気温水器用コンクリート基礎は、電気温水器のタンクユニットを載せるための２つのベースブロックと、上記２つのベースブロックを載せて所定の間隔で平行な状態で連結するための２本のレールと、上部が上記レールに固定され、土中に埋められる２つの杭コンクリート柱からなり、上記ベースブロックの上面にはレールが埋め込まれ、上記レール内を移動可能な取付けボルトによって上記タンクユニットが上記ベースブロックに固定され、上記ベースブロックは上記２本のレール内を移動可能な取付けボルトによって上記レールに固定され、上記２本のレールは平行に配置されて、杭アンカーによってそれぞれが上記杭コンクリート柱に固定されることによって、より簡単にベースブロックを水平に設置できるようになり、電気温水器用コンクリート基礎設置時の作業性が向上する。
【００１４】
そして、上記２本のレールおよび上記ベースブロックに埋め込まれたレールの断面形状が、略Ｕ字形状であり、Ｕ字の上部が両方ともフック状に内側に折り曲げられており、タンクユニットの上記取付けボルトおよびベースブロックの上記取付けボルトは、上記レール内を移動可能に横から挿入されるプレートが取付けられていることによって、レール内をスムーズに取付けボルトが移動可能となり、ベースブロックを所定の間隔に固定する時、あるいは、電気温水器を固定する時の作業性を向上することが可能となる。
【００１５】
また、上記杭コンクリート柱は、断面が６角形で、裾広がりの形状となっており、そしてつば部を有することによって、土中に埋め込まれた杭コンクリート柱が地震時に電気温水器の転倒に対して抵抗する力が強くなり、地震にもより強い電気温水器用コンクリート基礎が実現可能となる。
【考案を実施するための最良の形態】
【００１６】
以下に、図を用いて本考案の電気温水器用コンクリート基礎１について詳しく説明する。
【００１７】
図１に示すのが、本考案の電気温水器用コンクリート基礎１の斜視図である。
【００１８】
図１に示すように、本考案の電気温水器用コンクリート基礎１は、２つのベースブロック２と、２本のレール３、２つの杭コンクリート柱４、およびこれらを取付けるためのボルト類から構成される。
【００１９】
上記ベースブロック２の上面には、レール７が埋め込まれており、レール７内を取付けボルト５が移動可能となっている。
【００２０】
上記ベースブロック２はコンクリートブロックであり、図６に示すように、その内部には補強のためのメッシュ金網９が埋め込まれている。また、上記ベースブロック２を持ち運びしやすいように、両側面の下側に持ち手掛かり用の切込み１０が設けられている。
【００２１】
そして、上記ベースブロック２には、２箇所貫通穴８が設けられており、この貫通穴８を利用して、上記レール７に固定される。
【００２２】
上記レール３およびレール７は、略Ｕ字形状であり、Ｕ字の上部が両方ともフック状に内側に折り曲げられており（図３、４、５参照）、溶融亜鉛メッキ鋼板を用いて加工している。
【００２３】
上記杭コンクリート柱４は、図２に示すように、断面が６角形で、裾広がりの形状となっており、そしてつば部１１を有する。そして、上面には、杭アンカー１３用のボルト受１２が埋め込まれている。
【００２４】
続いて、上述の各部材の固定方法について説明する。
【００２５】
ベースブロック２とレール３の固定は、取付けボルト６を用いる。図７の（ａ）に示すように、取付けボルト６は、ボルト２１、プレート２２、ワッシャ２３、サブワッシャ２４、ナット２５から構成される。
【００２６】
取付けボルト６のプレート２２は、レール３内に横から挿入可能な大きさであり、ボルト２１にプレート２２を取り付けた状態で、プレート２２をレール３に挿入し、ボルト２１をレール３の所定の位置にセットする。
【００２７】
そして、ベースブロック２の貫通穴８に上記ボルトを下から挿入して、ベースブロック２をレール３に載せる。この時に再度ベースブロック２の位置決めを行った後、上記ボルト２１にワッシャ２３、サブワッシャ２４を嵌めて、ナット２５を締め込み、図３の（ｂ）の状態となる。
【００２８】
このようにして、２つのベースブロック２を２本のレール３に所定の間隔で平行に並べ、２つのベースブロック２と２本のレール３を井形に組み立てる。
【００２９】
次に、レール３と杭コンクリート柱４との固定方法について説明する。レール３と杭コンクリート柱４は、図２示すような杭アンカー１３を用いて固定する。
【００３０】
杭アンカー１３は、図２に示すように、ボルト３１、金具３２、ワッシャ３３、ナット３４から構成される。
【００３１】
杭コンクリート柱４の上にレール３を載せる。この時、レール３の中央の底部に開けられた穴を杭コンクリート柱４の上面に設けられたボルト受１２に合わせる。そして、ボルト３１をボルト受１２に締め込む。
【００３２】
ボルト３１を締め込んだら、ボルト３１に金具３２を入れる。この時、図４に示すように、金具３２でレール３を上から押さえ込むように位置を合わせてレール３に載せる。そして、ワッシャ３３を嵌めて、ナット３４で締め付けて、レール３を杭コンクリート柱４に固定する。
【００３３】
次に、電気温水器のタンクユニット１４の固定方法を説明する。タンクユニット１４は、図５に示すように取付けボルト５を用いて、ベースブロック２に固定する。
【００３４】
取付けボルト５は、図７の（ｂ）に示すように、ボルト４１、プレート４２、ワッシャ４３、サブワッシャ４４、ナット４５から構成される。
【００３５】
取付けボルト５のプレート４２は、レール７内に横から挿入可能な大きさであり、ボルト４１にプレート４２を取り付けた状態で、プレート４２をレール７に横から挿入し、ボルト４１をレール７の所定の位置にセットする。
【００３６】
上記ボルト４１にタンクユニット１４の脚１７の穴を合わせて、タンクユニット１４をベースブロック２に載せる。そして、ボルト４１にワッシャ４３、サブワッシャ４４を嵌めて、ナット４５で締め込んで、タンクユニット１４をベースブロック２に固定する。
【００３７】
次に、本考案の電気温水器用コンクリート基礎１を地面に設置する手順について、図５を用いて説明する。
【００３８】
まず初めに、電気温水器用コンクリート基礎１を設置する範囲よりも大きく地面を掘削する。深さは、全体としてはレール３の厚みとその下に敷く砕石およびセメントを考慮した深さとする。
【００３９】
そして、２つの杭コンクリート柱４を設置する場所は、それぞれ、杭コンクリート柱４の高さとその下に敷く砕石およびセメントを考慮した深さとし、回りよりも一段深く掘削する。このようにして、掘削が完了したら、砕石を敷き均し、さらにセメントを敷いてある程度平らにする。
【００４０】
次に、平らな場所で、２本のレール３と２つのベースブロック２の固定を行う。まず、２本のレール２をベースブロック２の２つの貫通穴８の間隔と同じ間隔で平行に並べ、２本のレール３にボルト２１に取付けたプレート２２をそれぞれ２個ずつレール３の横から挿入し所定の位置にセットする。
【００４１】
そして、上記２本のレール３その上に２つのベースブロック２を平行に並べて載せる。この時、ベースブロック２の貫通穴８にボルト２１を挿入する。このようにして、上記２本のレール３と２つのベースブロック２は井形に組み合わされる。その後、上記レール３と上記ベースブロック２を、取付けボルト５のワッシャ２３、サブワッシャ２４、ナット２５を用いて上述の方法で固定する。この際、２つのベースブロックの間隔を上に載せる電気温水器のタンクユニット１４の脚１５の間隔に合わせて調節しておく。
【００４２】
次に、杭コンクリート柱４を一段深く掘削した場所にセットする。そして、その上に、上述のベースブロック２を固定したレール３を載せる。この時、レール３の底面に開けられた穴を、上記杭コンクリート４の上面のボルト受１２に合わせる。そして、杭アンカー１３を用いて上述の方法で、上記レール３と上記杭コンクリート柱４を固定する。
【００４３】
このようにして、電気温水器用コンクリート基礎１の組み立てが完了したら、次に、上記杭コンクリート４の周囲をコンクリート等を用いて埋め戻す。さらに、上記レール３の周囲等も砕石等を用いて周囲の地面と同じ高さに敷き均す。これで、電気温水器用コンクリート基礎１の設置が完了となる。
【００４４】
この後、上記ベースブロック２のレール７に、ボルト４１にプレート４２を取り付けた状態で、プレート４２をレール３の横から挿入し、ボルト４１を上に設置する電気温水器のタンクユニット１４の脚１５の穴の位置に合わせてセットする。そして、ベースブロック２に電気温水器のタンクユニット１４を載せ、その脚１５を上述のような方法で、取付けボルト５を用いて固定する。これで、図５のような状態となり、全て完了となる。
【００４５】
このように、本考案の電気温水器用コンクリート基礎は、設置の際に水平にするのが簡単で、より施工性が良く、設置時間が短縮できる。また、杭コンクリート柱を土中に埋め込むことにより、耐震性を向上させることが可能となった。
【００４６】
その結果、より簡単で、よりスピーディーな設置が可能となり、低コストで、安全性を向上することが可能となる。
【図面の簡単な説明】
【００４７】
【図１】本考案の電気温水器用コンクリート基礎の斜視図である。
【図２】杭コンクリート柱及び杭アンカーの斜視図である。
【図３】（ａ）は、レールにベースブロックを固定した状態の断面図であり、（ｂ）は（ａ）のＡ部の拡大図である。
【図４】杭コンクリート柱にレールを固定した状態を示す斜視図である。
【図５】本考案の電気温水器用コンクリート基礎を用いて、電気温水器のタンクユニットを設置した状態を示す概略側面図である。
【図６】ベースブロックの斜視図であり、内部のメッシュ筋を描いた図である。
【図７】（ａ）は取付けボルト６の斜視図、（ｂ）は取付けボルト５の斜視図である。
【符号の説明】
【００４８】
１    電気温水器用コンクリート基礎
２    ベース部材
３    レール
４    杭コンクリート柱
５    取付けボルト
６    取付けボルト
７    レール
８    貫通穴
９    メッシュ金網
１０  切り込み
１１  つば部
１２  ボルト受
１３  杭アンカー
１４  タンクユニット
１５  脚
２１  ボルト
２２  プレート
２３  ワッシャ
２４  サブワッシャ
２５  ナット
３１  ボルト
３２  金具
３３  ワッシャ
３４  ナット
４１  ボルト
４２  プレート
４３  ワッシャ
４４  サブワッシャ
４５  ナット
【図１】
0003133011.tif 000003
【図２】
0003133011.tif 000004
【図３】
0003133011.tif 000005
【図４】
0003133011.tif 000006
【図５】
0003133011.tif 000007
【図６】
0003133011.tif 000008
【図７】
0003133011.tif 000009